【事件の表示】
　特願２００７−　７２８７５「高出力増幅器」拒絶査定不服審判事件〔平成２０年１０月　２日出願公開、特開２００８−２３６３５４〕について、次のとおり審決する。
【結　論】
　本件審判の請求は、成り立たない。
【理　由】
１．手続の経緯
　本願は、平成１９年３月２０日の出願であって、平成２１年５月２７日付けで拒絶理由通知がなされ、同年７月２４日付けで手続補正がなされたが、同年８月１２日付けで拒絶査定がなされ、これに対し、同年１１月１７日に拒絶査定不服審判の請求がなされるとともに、同日付けで手続補正がなされ、当審において平成２３年１１月２１日付けで拒絶理由通知がなされ、平成２４年１月２０日付けで手続補正がなされたものである。
　
２．本願発明
　本願の請求項１に係る発明は、平成２４年１月２０日付けの手続補正書により補正された特許請求の範囲の請求項１に記載されたとおりの次のものと認める。（以下、「本願発明」という。）
「出力インピーダンスが負荷側のインピーダンスよりも低い高出力トランジスタと、
　前記高出力トランジスタの出力部に接続され、入力インピーダンスが異なり、かつ、前記入力インピーダンスよりも高いインピーダンスに変換する複数のインピーダンス変換用トランジスタを直列に接続してなるインピーダンス変換回路とを備え、
　前記インピーダンス変換回路は、前記インピーダンス変換用トランジスタの入力インピーダンスを調整するためのフィードバック回路を備え、
　前記フィードバック回路は、前記複数のインピーダンス変換用トランジスタのそれぞれに設けられており、
　前記複数のインピーダンス変換用トランジスタは、いずれもマルチフィンガゲートトランジスタであり、互いに異なる入力インピーダンスを持つように互いにフィンガ数が異なることを特徴とする高出力増幅器。」
　
３．引用例
　これに対して、当審において平成２３年１１月２１日付けで通知した拒絶の理由に引用した特開２００１−１１９２１２号公報（以下、「引用例１」という。）、及び特開２００２−３１４３５０号公報（以下、「引用例２」という。）には、それぞれ、図面とともに次の事項が記載されている。
　
（引用例１）
Ａ．「【０００１】
【発明の属する技術分野】本発明は、インピーダンス変換用電子部品および高周波増幅器に関する。たとえば５００ＭＨｚから２０ＧＨｚの高周波領域は多重無線、移動体無線または放送等において利用されており、これらの無線や放送のシステムには高周波増幅器が使用されている。
【０００２】高周波増幅器の設計においては、所要の特性を得るために複数の単体増幅器を縦続接続して、段間ではインピーダンス整合をさせることが行われる。また、高周波増幅器とその入力側や出力側に接続される外部回路との間においてもインピーダンス整合をさせる必要がある。
【０００３】
【従来の技術】一般に、高周波領域のシステムでは、伝送系や測定系のインピーダンスとして５０Ωが採用されている。そのため、高周波増幅回路に限らず一般的な高周波回路では、インピーダンス整合回路を用いて、入力部および出力部のインピーダンスを５０Ωに整合させている。
【０００４】従来、高周波増幅回路あるいは一般的な高周波回路では、インピーダンス整合回路はインダクタンス（Ｌ）およびキャパシタンス（Ｃ）で構成されている。また、インピーダンス整合回路に抵抗（Ｒ）が含まれていることもある。
【０００５】図３４は、従来の高周波単体増幅器の構成を示す回路図例である。一般に、高周波単体増幅器は、図３４に示すように、増幅素子である電界効果トランジスタ（ＦＥＴ）７、入力側のインピーダンスを整合させるための入力整合回路、トランジスタ７のゲートにバイアスを供給するためのバイアス供給回路、トランジスタ７のドレインにバイアスを供給するためのバイアス供給回路、および出力側のインピーダンスを整合させるための出力整合回路により構成される。
【０００６】入力整合回路は、直列に接続された２つのＲＦ整合用インダクタンス３，５、およびそれらに対して並列に接続された３つのＲＦ整合用コンデンサ（キャパシタンス）２，４，６により構成される。出力整合回路は、直列に接続された２つのＲＦ整合用インダクタンス３０，３２、およびそれらに対して並列に接続された２つのＲＦ整合用コンデンサ（キャパシタンス）３１，３３により構成される。また、電界効果トランジスタのゲートバイアス供給回路は、バイアス抵抗１４，１５および電源１６によって構成され、ドレインバイアス供給回路は、トランジスタ７の出力端子に並列に接続されたバイアス供給線路８、および高周波接地用コンデンサ９，１０および電源１７により構成される。
【０００７】図３４に示す高周波単体増幅器の出力インピーダンスのシミュレーション結果を図３５に示す。使用したトランジスタはＦＬ８７７であり、周波数範囲は８５０〜１０００ＭＨｚである。図３５より、この周波数範囲において、インピーダンス特性が広がっているのがわかる。」
　
Ｂ．「【００１１】また、整合回路を構成する複数段のＬＣ回路の少なくとも一段を、一端から他端へ広くあるいは狭く形成されたテーパ線路で構成した増幅回路が公知である（特開平３−３２２０７号公開公報に記載されている）。
【００１２】
【発明が解決しようとする課題】整合回路をＬＣ回路で構成した従来の増幅回路では、所望の周波数範囲においてインピーダンス特性が広がりやすいため、周波数によって不整合損失が大きくなり、増幅用トランジスタの特性（電力効率や歪み特性等）を十分に活かすことができないという欠点がある。
【００１３】また、整合回路にテーパ線路を用いる場合には、テーパ線路が長いため、たとえば携帯電話や携帯型の情報通信機器に用いられる高周波増幅器をテーパ線路を含んだ整合回路で構成することは困難であるという欠点がある。」
　
Ｃ．「【００１５】本発明は、上記問題点に鑑みてなされたものであって、内部に整合回路として機能するテーパ線路を積層構造で収納させることにより、一般的なチップ部品と同程度に小型で、かつ高周波増幅器に整合素子として実装した時に周波数による広がりの小さいインピーダンス特性が得られるようなインピーダンス変換用電子部品を安価に提供することを目的とする。
【００１６】また、本発明は、一般的なチップ部品と同程度に小型で、その内部に整合回路として機能するテーパ線路を積層構造で収納してなるインピーダンス変換用電子部品を実装し、周波数による広がりの小さいインピーダンス整合特性を備えた高周波増幅器を提供することを目的とする。」
　
Ｄ．「【００２０】図２６は、本発明者らがシミュレーションを行った高周波増幅器の他の構成を示す回路図である。この高周波増幅器は、出力整合回路にテーパ線路２０を用いたものである。入力端子１から入力整合回路、ゲートバイアス供給回路およびトランジスタ７を介してドレインバイアス供給回路に至る構成（符号１〜１０，１４，１５，１６，１７）は、図３４に関連して説明した従来のものと同じである。
【００２１】出力整合回路は、テーパ線路２０、ＲＦ整合用インダクタンス２１、テーパ線路２２およびＲＦ整合用インダクタンス２３がこの順でトランジスタ７側から直列に接続され、さらにＲＦ整合用インダクタンス２３の出力端子１３側にＲＦ整合用コンデンサ２４が並列に接続された構成となっている。
【００２２】図２７は、図２６に示す高周波増幅器の出力インピーダンスのシミュレーション結果を示す図である。使用したトランジスタはＦＬ８７７であり、周波数範囲は８５０〜１０００ＭＨｚである。図２７より、この周波数範囲において、従来の高周波増幅器のシミュレーション結果（図３５参照）よりもインピーダンス特性の広がりが極めて小さくなっていることがわかる。」
　
Ｅ．「【００２６】上述したシミュレーション結果より、本発明者らは、整合回路にテーパ線路またはＥテーパ線路を用いることにより、広い周波数範囲において広がりの小さい良好なインピーダンス整合特性が得られるとの知見を得た。そこで、本発明者らは、つぎのステップとして、実際にテーパ線路またはＥテーパ線路を整合回路に用いる場合、テーパ線路またはＥテーパ線路の長さおよび線幅がどの程度になるのかを計算により求めた。
【００２７】計算条件として、周波数範囲を８５０〜１０００ＭＨｚ、テーパ線路またはＥテーパ線路の一方のポート（ｎ１ポート）および他方のポート（ｎ２ポート）でのそれぞれの特性インピーダンスを５Ωおよび５０Ωとした。基板の比誘電率は４９、基板の厚さは０．１ｍｍ、導体の厚さは０．００４ｍｍである。」
　
Ｆ．「【００２９】また、たとえば図３２に示すようなテーパ線路について計算した結果を図３３に示す。整合回路として用いることができるテーパ線路の長さＬは１５ｍｍである。ｎ１ポートおよびｎ２ポートの線幅Ｗ１およびＷ２はそれぞれ０．９ｍｍおよび０．０１ｍｍである。」
　
　ここで、
（ア）上記Ｄの段落【００２０】の「図２６は、本発明者らがシミュレーションを行った高周波増幅器の他の構成を示す回路図である。この高周波増幅器は、出力整合回路にテーパ線路２０を用いたものである。入力端子１から入力整合回路、ゲートバイアス供給回路およびトランジスタ７を介してドレインバイアス供給回路に至る構成（符号１〜１０，１４，１５，１６，１７）は、図３４に関連して説明した従来のものと同じである。」という記載より、図２６に記載された構成について特段に説明がなされていない点については、図３４に記載された従来例の構成についての説明によるものと認められる。
（イ）上記Ａの段落【０００３】の「一般に、高周波領域のシステムでは、伝送系や測定系のインピーダンスとして５０Ωが採用されている。そのため、高周波増幅回路に限らず一般的な高周波回路では、インピーダンス整合回路を用いて、入力部および出力部のインピーダンスを５０Ωに整合させている。」という記載より、負荷側のインピーダンスは５０Ωであると認められる。
（ウ）上記Ｄの段落【００２１】の「出力整合回路は、テーパ線路２０、ＲＦ整合用インダクタンス２１、テーパ線路２２およびＲＦ整合用インダクタンス２３がこの順でトランジスタ７側から直列に接続され、」という記載、上記Ｅの段落【００２７】の「計算条件として、周波数範囲を８５０〜１０００ＭＨｚ、テーパ線路またはＥテーパ線路の一方のポート（ｎ１ポート）および他方のポート（ｎ２ポート）でのそれぞれの特性インピーダンスを５Ωおよび５０Ωとした。」という記載、上記Ｆ及び図３２，図３３の記載より、図２６に記載された構成においては、トランジスタ７の出力インピーダンスは５Ωであり、複数のテーパ線路２０，２２の全体で、特性インピーダンスをトランジスタ７の出力インピーダンスである５Ωから負荷側のインピーダンスである５０Ωに変換しているものと認められる。また、複数のテーパ線路２０，２２のそれぞれは、入力インピーダンスが異なり、かつ、前記入力インピーダンスよりも高いインピーダンスに変換するものであると解される。
　
　よって、上記Ａ〜Ｆの記載及び関連する図面を参照すると、引用例１には、次の発明が記載されているものと認められる。（以下、「引用例１記載の発明」という。）
「出力インピーダンスが負荷側のインピーダンスよりも低いトランジスタ７と、
　前記トランジスタ７の出力部に接続され、入力インピーダンスが異なり、かつ、前記入力インピーダンスよりも高いインピーダンスに変換する複数のテーパ線路２０，２２を直列に接続してなる出力整合回路とを備える、高周波増幅器。」
　
（引用例２）
Ｇ．「【０００１】
【発明の属する技術分野】本発明は、高周波フィードバック増幅器に係り、特に入力と出力とを異なるインピーダンスに整合させなければならない高周波フィードバック増幅器に関するものである。
【０００２】
【従来の技術】図６に従来の一般的な電界効果トランジスタ（以下、ＦＥＴという）を用いた高周波フィードバック増幅器の一例を示す。図６において、ＺiおよびＺoはそれぞれ高周波フィードバック増幅器の入力および出力インピーダンスを示し、ＲiおよびＲoは信号源および負荷インピーダンスを示す。ここで、ＦＥＴを理想的なものとし、その相互コンダクタンスをｇｍとし、フィーバック抵抗をＲf、ソース抵抗をＲSとすると、負荷インピーダンスＲｏが接続されたとき、この高周波フィードバック増幅器の入力インピーダンスＺiは次の式（１）で表わすことができる。
【０００３】
【数１】
　　　（１＋ｇm・ＲS）（Ｒf＋Ｒｏ）
Ｚi＝―――――――――――――――　　…………（１）
　　　　　１＋ｇm（ＲS＋Ｒｏ）
【０００４】逆に入力インピーダンスをＺiにしたいときの負荷インピーダンスＲoは式（１）を変形して次の式（２）で表わすことができる。
【０００５】
【数２】
　　　（１＋ｇm・ＲS）（Ｚi−Ｒf）
Ｒo＝―――――――――――――――　　…………（２）
　　　　　１−ｇm（Ｚi−ＲS）
【０００６】出力インピーダンスＺoと信号源インピーダンスＲiとの関係もまったく同じ式で表わされ、式（１）および式（２）において、入力インピーダンスＺiを出力インピーダンスＺoに負荷インピーダンスＲoを信号源インピーダンスＲiに読み替えることにより求めることができる。ここで増幅器の入出力整合がとれるということは、Ｚi＝ＲiかつＺo＝Ｒo（整合条件）が成り立つことである。
【０００７】式（１）、（２）から次のことが言える。Ｒi＝Ｒoの場合は整合条件を満たすＲf、Ｒsおよびｇｍの組み合わせは無数にあり、利得を考慮しながら任意に決めることができるが、Ｒi≠Ｒoの場合は整合条件を満たすＲf、Ｒsおよびｇｍの組み合わせは存在しない。
【０００８】例えば、図６のフィードバック増幅器において、Ｒf＝６００Ω、Ｒs＝８Ω、ｇm＝１Ｓとした場合について考察すると次の通りである。Ｒo＝１２０Ωとすると、式（１）からＺi＝５０．２Ωとなる。このときＲi＝５０．２Ωとすると、入力側の整合条件は満たすが、同じく式（１）よりＺo＝９８．８Ωとなり、Ｒo＝１２０Ωとの整合がとれなくなってしまう。反対に、Ｚo＝１２０Ωとなるには式（２）からＲi＝３９Ωとなるから、Ｒi＝３９Ωとすれば出力側の整合はとれるが、このとき前に計算した通りＺi＝５０．２Ωであるため入力側の整合はとれていない。このようにＲi≠Ｒoの場合は入出力を同時に整合をとることができない。
【０００９】このような問題点を解決するために、図７に示されるような高周波フィードバック増幅器が考案されている。この回路がＲi≠Ｒoの場合でも整合条件を満たすことを高周波フィードバック増幅器の回路定数が前述と同じであるとした場合について説明する。第１の例として、Ｒi＝５０．２Ω、Ｒo＝１０９．４Ω、Ｒb＝１０．６Ω、Ｒa＝∞とする。Ｒi＝５０．２Ωであるから、式（１）よりＺo＝９８．８Ωとなる。従って図７の○４（当審注：原文どおりの丸囲み文字の記載ができないので、このように記載した。以下同様。）から左を見たインピーダンスは１０９．４Ωとなり、Ｒoと一致し、出力側の整合条件を満たしている。また、○３から右を見たインピーダンスは１２０Ωであるから、式（１）からＺi＝５０．２Ωとなり、Ｒiと一致しており入力側の整合条件も満たしている。つまり、Ｒi≠Ｒoでありながら、入出力整合条件も満たしている。
【００１０】第２の例として、Ｒi＝４３．９Ω、Ｒo＝１２０Ω、Ｒb＝０Ω、Ｒa＝３４６．９Ωとする。Ｒi＝４３．９Ωであり、Ｒa＝３４６．９Ωであるから、○２から左を見たインピーダンスは３９．０Ωであるから、式（１）よりＺo＝１２０Ωとなる。従って図７の○４から左を見たインピーダンスは１２０Ωとなり、Ｒo＝１２０Ωと一致し、出力側の整合条件を満たしている。また、○３から右を見たインピーダンスは１２０Ωであるから、式（１）からＺi＝５０．２Ωとなる。Ｚi＝５０．２Ωであり、Ｒa＝３４６．９Ωであるから、○１から右を見たインピーダンスは４３．９Ωであり、Ｒiと一致しており、入力側の整合条件も満たしている。つまり、Ｒi≠Ｒoでありながら、入出力整合条件も満たしている。増幅器外部に接続される素子（例えば、フィルタやトランス）にＲaやＲbと等価な損失が含まれている場合等には、それらを有効に使った設計も可能だが、これらの損失は任意の値を選べないし、周波数特性を持っていたりするので、できればない方がよい」
　
Ｈ．「【００１３】
【発明の実施の形態】以下本発明について、図を用いて詳しく説明する。図１は、本発明の一実施の形態を示す高周波フィードバック増幅器の要部回路図である。図１において、Ｑ1は初段増幅を担うＦＥＴ、Ｑ2は後段増幅を担うＦＥＴ、Ｒiは信号源インピーダンス、Ｒf1はＱ1のフィードバック抵抗、Ｒs1はＱ1のソース抵抗、Ｒ1、Ｒ2、Ｒ3はインピーダンス整合用であり、利得調整用のπ型抵抗ネットワーク、Ｒf2はＱ2のフィードバック抵抗、Ｒs2はＱ2のソース抵抗である。
【００１４】図１の高周波フィードバック増幅器をその構成要素に分けて説明する。この回路は図１に示すように、初段増幅部である第一の高周波フィードバック増幅器と後段増幅部である第二の高周波フィードバック増幅器の段間にπ型の利得調整用の抵抗ネットワーク挿入する構成となっている。これらの第一の高周波フィードバック増幅器と第二の高周波フィードバック増幅器は、従来例の図７で述べたものと同じ構成をしている。
【００１５】第一の高周波フィードバック増幅器において、Ｒi＝２０Ω、Ｒa＝∞、Ｒf1＝１００Ω、ＲS1＝５Ω、Ｒb＝２０Ω、ｇｍ1＝０．２Ｓ、ＲO＝６０Ωとすると、式（１）からＺO＝４０Ωとなる。従って図７の○４から左を見たインピーダンスは６０Ωとなり、ＲOと一致し、出力側の整合条件を満たしている。また、○３から右を見たインピーダンスは８０Ωであるから、式（１）からＺi＝２０Ωとなり、Ｒiと一致しており、入力側の整合条件も満たしている。このように第一の高周波フィードバック増幅器は、入力インピーダンスが２０Ωで出力インピーダンスが６０Ωにそれぞれ整合がとれた入力側にロスのない高周波フィードバック増幅器となる。
【００１６】同様に、第二の高周波フィードバック増幅器において、Ｒi＝６０Ω、Ｒa＝１６１９Ω、Ｒf2＝５３７Ω、ＲS2＝４Ω、Ｒb＝０Ω、ｇｍ2＝０．２、ＲO＝８０Ωとすると、図７の○２から左を見たインピーダンスは５７．９Ωであるから、式（１）からＺO＝８０．０Ωとなる。従って図７の○４から左を見たインピーダンスは８０Ωとなり、ＲO＝８０Ωと一致し、出力側の整合条件を満たしている。また、○３から右を見たインピーダンスは８０Ωであるから、式（１）からＺi＝６２．４Ωとなる。Ｚi＝６２．４Ωであり、Ｒa＝１６１９Ωであるから、○１から右を見たインピーダンスは６０．０Ωであり、Ｒiと一致しており、入力側の整合条件も満たしている。従って、入力インピーダンスが６０Ωで出力インピーダンスが８０Ωにそれぞれ整合がとれた出力側にロスのない高周波フィードバック増幅器が作成できる。
【００１７】この２つの高周波フィードバック増幅器の間にπ型の抵抗ネットワークを挿入したものが図２に示す２段高周波フィードバック増幅器である。ここで、このπ型の抵抗ネットワークの入出力インピーダンスをそれぞれ６０Ωとすれば、インピーダンス整合がとれた2段の高周波フィードバック増幅器を構成できる。」
　
　ここで、
（エ）上記Ｈの段落【００１４】の「図１の高周波フィードバック増幅器をその構成要素に分けて説明する。この回路は図１に示すように、初段増幅部である第一の高周波フィードバック増幅器と後段増幅部である第二の高周波フィードバック増幅器の段間にπ型の利得調整用の抵抗ネットワーク挿入する構成となっている。これらの第一の高周波フィードバック増幅器と第二の高周波フィードバック増幅器は、従来例の図７で述べたものと同じ構成をしている。」という記載より、図１に記載された構成について特段に説明がなされていない点については、図７に記載された従来例の構成、さらには図７に記載された従来例の構成の基となる図６に記載された従来例の構成についての説明によるものと認められる。
（オ）上記Ｈの段落【００１５】の記載より、ＦＥＴＱ1を備える第一の高周波フィードバック増幅器は、２０Ωの入力インピーダンスを６０Ωの出力インピーダンスに変換し、上記Ｈの段落【００１６】の記載より、ＦＥＴＱ2を備える第二の高周波フィードバック増幅器は、６０Ωの入力インピーダンスを８０Ωの出力インピーダンスに変換しているから、図１に記載された高周波フィードバック増幅器は、入力インピーダンスが異なり、かつ、前記入力インピーダンスよりも高いインピーダンスに変換する複数のインピーダンス変換用トランジスタを直列に接続してなるインピーダンス変換回路であると認められる。
（カ）上記Ｇの段落【０００２】，段落【０００３】の記載より、図６に記載された構成の高周波フィードバック増幅器は、ＦＥＴの入力インピーダンスＺiをフィーバック抵抗Ｒfの値により調整することができるものと認められる。そして、上記（エ）で検討した点を鑑みて、図１に記載された構成における第一の高周波フィードバック増幅器のＦＥＴＱ1と第二の高周波フィードバック増幅器のＦＥＴＱ2のそれぞれは、図６に記載された構成の高周波フィードバック増幅器のＦＥＴと同じように、入力インピーダンスを各フィーバック抵抗Ｒf1，Ｒf2の値により調整することができるものと解される。なお、上記（オ）で検討したとおり、ＦＥＴＱ1，Ｑ2は、複数のインピーダンス変換用トランジスタである。
　
　よって、上記Ｇ，Ｈの記載及び関連する図面を参照すると、引用例２には、次の発明が記載されているものと認められる。（以下、「引用例２記載の発明」という。）
「入力インピーダンスが異なり、かつ、前記入力インピーダンスよりも高いインピーダンスに変換する複数のインピーダンス変換用トランジスタを直列に接続してなるインピーダンス変換回路であり、
　前記インピーダンス変換回路は、前記インピーダンス変換用トランジスタの入力インピーダンスを調整するためのフィードバック回路を備え、
　前記フィードバック回路は、前記複数のインピーダンス変換用トランジスタのそれぞれに設けられているインピーダンス変換回路。」
　
４．対比
　本願発明と引用例１記載の発明とを対比すると、次のことがいえる。
　
（あ）引用例１の段落【０００１】の記載より、引用例１記載の発明は放送のシステムに使用されるものを含み、一般的に放送のシステムに使用される高周波増幅器は高出力のものであるから、引用例１記載の発明における「高周波増幅器」は高出力のものを含み、これは、本願発明における「高出力増幅器」に相当する。このとき、引用例１記載の発明の「高周波増幅器」を構成する「トランジスタ７」も高出力のものであるといえるから、引用例１記載の発明における「トランジスタ７」は、本願発明における「高出力トランジスタ」に相当する。
　
（い）引用例１記載の発明における「複数のテーパ線路２０，２２」と、本願発明における「複数のインピーダンス変換用トランジスタ」とは、ともに、「複数のインピーダンス変換用の構成要素」であるということができる。
　
（う）引用例１記載の発明における「出力整合回路」は、特性インピーダンスをトランジスタ７の出力インピーダンスである５Ωから負荷側のインピーダンスである５０Ωに変換しているものであるから、本願発明における「インピーダンス変換回路」に相当する。
　
　上記（あ）〜（う）の事項を踏まえると、本願発明と引用例１記載の発明とは、次の点で一致し、また、相違するものと認められる。
　
（一致点）
　本願発明と引用例１記載の発明とは、ともに、
「出力インピーダンスが負荷側のインピーダンスよりも低い高出力トランジスタと、
　前記高出力トランジスタの出力部に接続され、入力インピーダンスが異なり、かつ、前記入力インピーダンスよりも高いインピーダンスに変換する複数のインピーダンス変換用の構成要素を直列に接続してなるインピーダンス変換回路とを備える、高出力増幅器。」
である点。
　
（相違点）
相違点１：「複数のインピーダンス変換用の構成要素」が、本願発明においては、「複数のインピーダンス変換用トランジスタ」であるのに対し、引用例１記載の発明においては、「複数のテーパ線路２０，２２」である点。
　
相違点２：本願発明においては、「前記インピーダンス変換回路は、前記インピーダンス変換用トランジスタの入力インピーダンスを調整するためのフィードバック回路を備え、
　前記フィードバック回路は、前記複数のインピーダンス変換用トランジスタのそれぞれに設けられており、
　前記複数のインピーダンス変換用トランジスタは、いずれもマルチフィンガゲートトランジスタであり、互いに異なる入力インピーダンスを持つように互いにフィンガ数が異なる」ものであるのに対し、引用例１記載の発明においては、そのようなものでない点。
　
５．判断
　そこで、上記相違点１，２について検討する。
　上記３．に記載したとおり、引用例２記載の発明は、
「入力インピーダンスが異なり、かつ、前記入力インピーダンスよりも高いインピーダンスに変換する複数のインピーダンス変換用トランジスタを直列に接続してなるインピーダンス変換回路であり、
　前記インピーダンス変換回路は、前記インピーダンス変換用トランジスタの入力インピーダンスを調整するためのフィードバック回路を備え、
　前記フィードバック回路は、前記複数のインピーダンス変換用トランジスタのそれぞれに設けられているインピーダンス変換回路。」
である。
　ここで、引用例１には、段落【００１３】に「整合回路にテーパ線路を用いる場合には、テーパ線路が長いため、たとえば携帯電話や携帯型の情報通信機器に用いられる高周波増幅器をテーパ線路を含んだ整合回路で構成することは困難であるという欠点がある。」とあるように、整合回路にテーパ線路を用いると高周波増幅器の小型化が困難であるという旨が記載されているから、引用例１記載の発明において、整合回路（インピーダンス変換回路）にテーパ線路を用いない構成を採用しようとすることは当業者が普通に推考することである。そして、引用例１記載の発明と引用例２記載の発明は、入力インピーダンスが異なり、かつ、前記入力インピーダンスよりも高いインピーダンスに変換する複数のインピーダンス変換用の構成要素を直列に接続してなるインピーダンス変換回路を共に有するものであるから、引用例１記載の発明に引用例２記載の発明を適用し、「複数のインピーダンス変換用の構成要素」として「複数のテーパ線路２０，２２」ではなく「複数のインピーダンス変換用トランジスタ」を用い、「インピーダンス変換回路」は「前記インピーダンス変換用トランジスタの入力インピーダンスを調整するためのフィードバック回路を備え、
　前記フィードバック回路は、前記複数のインピーダンス変換用トランジスタのそれぞれに設けられている」構成を採用することは、当業者が容易に想到できたことである。
　また、マルチフィンガートランジスタは、例えば、特開２００３−１５０６６３号公報の段落【０００６】や、特開２００３−３１８７５１号公報の段落【００３０】，段落【００３１】、特開２００３−３１８６５９号公報の段落【００３３】等に記載されているように、周知技術である。
　そうすると、引用例１記載の発明に引用例２記載の発明を適用した構成において、複数のインピーダンス変換用トランジスタのいずれをも、例えば、マルチフィンガゲートトランジスタとし、互いに異なる入力インピーダンスを持つように互いにフィンガ数を異なるようにすることは、当業者が適宜実施できたことにすぎない。
　
（本願発明の作用効果について）
　そして、本願発明の構成によってもたらされる効果も、引用例１記載の発明、引用例２記載の発明、及び周知技術から当業者が容易に予測することができる程度のものであって、格別のものとはいえない。
　
６．むすび
　以上のとおり、本願発明は、引用例１記載の発明、引用例２記載の発明、及び周知技術に基いて、当業者が容易に発明をすることができたものであるから、特許法第２９条第２項の規定により特許を受けることができない。
　したがって、本願は、他の請求項について検討するまでもなく、拒絶されるべきものである。
　よって、結論のとおり審決する。